(57)【要約】【課題】引出配線上にＢＭ層が形成された後に発見される引出配線の断線の修復を可能とすると共に、引出配線間の光漏れを防止して画面品位を向上する表示用基板を提供することを課題とする。【解決手段】隣接する２つの引出配線４の間に形成され、一方の引出配線４の少なくとも２箇所において照射により短絡可能な遮光性を有する金属の補助配線５を有するので、引出配線４上にＢＭ層７が形成された場合であっても、断線した引出配線を照射により電気的に再接続することができ、引出配線４間の光漏れを防止して画面品位を向上することができる。【選択図】図１
2009036982.tif 000002
【特許請求の範囲】
【請求項１】
ガラス基板と、
前記ガラス基板の一方の面の表示領域に形成された複数の電極と、
前記複数の電極にそれぞれ対応して離間配置された複数の外部接続端子と、
前記複数の電極の各一端を、対応するそれぞれの前記外部接続端子に接続した複数の引出配線と、
隣接する２つの前記引出配線の間に形成され、当該一方の引出配線の少なくとも２箇所において照射により短絡可能な遮光性を有する金属の補助配線と、
を有することを特徴とする表示用基板。
【請求項２】
前記引出配線と前記補助配線との間に絶縁膜が形成されていることを特徴とする請求項１に記載の表示用基板。
【請求項３】
前記補助配線の線幅は、前記２つの引出配線の間隔よりも大きいことを特徴とする請求項２に記載の表示用基板。
【請求項４】
前記引出配線は、当該引出配線の線幅よりも狭い幅の傾斜部を長手方向の一部に有するものであって、
前記補助配線は、隣接する２つの当該引出配線の傾斜部の間に形成されていることを特徴とする請求項１乃至３のいずれか１項に記載の表示用基板。
【請求項５】
前記表示領域は、互いに異なる層で形成された信号線及び走査線で構成されるものであって、
前記引出配線が当該信号線と同じ層で形成されている場合に、前記補助配線は当該走査線と同じ層で形成されることを特徴とする請求項１乃至４のいずれか１項に記載の表示用基板。
【発明の詳細な説明】
【技術分野】
【０００１】
本発明は、画像を表示する表示装置の表示用基板の技術に関する。
【背景技術】
【０００２】
図４は、従来の液晶表示装置を構成する表示用基板の概略を示す斜視図である。従来の表示用基板は、表示領域に複数の電極２を格子状に配置し、ガラス基板１の一端に表示領域を駆動する駆動回路３１との接続を行うための外部接続端子３を設け、電極２の一端を外部接続端子３に引き出すための引出配線４を配置している。
【０００３】
引出配線４は、Ｍｏ（モリブデン）／Ａｌ（アルミニウム）／Ｍｏを積層して構造化されたものであり、外部接続端子３が表示領域から離間して配置され、電極２とそれに対応する外部接続端子３の位置がずれている関係上、電極２の一端から近傍まで斜め方向に引き出されている。
【０００４】
表示領域の電極２を駆動するための駆動回路３１はドライバＩＣ３０上に形成され、ドライバＩＣ３０とガラス基板１とは外部接続端子３の部分において圧着接合される。また、駆動回路３１は、コントローラ５１などから送られる駆動信号により動作するため、コントローラ５１やタイミングＬＳＩ５２が形成されたプリント基板５０にも圧着接合されている。
【０００５】
図５は、図４で示す表示用基板における「Ａ」の部分の詳細を示す上面図である。電極２と電極２に接続された引出配線４の一部とには、画像のコントラストの向上や、液晶表示装置に対する外部光により表示領域の各画素を制御する制御電極の誤動作を防止するため、ブラックマトリクス（以降、単に「ＢＭ」と称する）層が形成されている。
【特許文献１】特開平１０−３１２２４号公報
【発明の開示】
【発明が解決しようとする課題】
【０００６】
しかしながら、表示領域の大型化に伴い引出配線数が増加し、駆動回路の小型化や液晶表示装置の非大型化により外部接続端子間の幅が狭くなるに従って、引出配線の線幅や隣接する引出配線の間隔を狭くする必要があるため、粉塵などの影響による引出配線間での短絡や、製造過程や販売後における不慮の衝撃等の影響による断線の危険性が増加する可能性がある。
【０００７】
特に引出配線の断線については、表示領域に電極等が形成された段階においては、レーザＣＶＤ（Ｃｈｅｍｉｃａｌ  Ｖａｐｏｒ  Ｄｅｐｏｓｉｔｉｏｎ）によるアルミニウム蒸着により断線を修復することができるものの、ＢＭ層の形成後若しくはセル完成後での修復は非常に困難であるという問題があった。
【０００８】
また、図５に示す「ｉ」における引出配線間には、透明なガラス基板及び絶縁膜しかなく、また、「ｉｉ」における引出配線間にはＢＭ層が更に形成されてはいるものの、このＢＭ層は樹脂などでできた非金属材料であるため、高輝度のバックライト光に対して必ずしも遮光性を有するものではない。その場合に、図６に示すように遮光テープ１３を貼り付ける方法もあるが、裏面偏光板端とフレーム７０との位置関係により「Ｂ」に示す部分には遮光テープを貼り付けられない場合もあり、透過光を確実に防ぐことができないため、引出配線の密度により透過する光の割合が異なり、グラデーション状に光抜けが生じるという問題があった。
【０００９】
本発明は、上記に鑑みてなされたものであり、引出配線上にＢＭ層が形成された後に発見される引出配線の断線の修復を可能とすると共に、引出配線間の光漏れを防止して画面品位を向上する表示用基板を提供することを課題とする。
【課題を解決するための手段】
【００１０】
請求項１に記載の本発明は、ガラス基板と、前記ガラス基板の一方の面の表示領域に形成された複数の電極と、前記複数の電極にそれぞれ対応して離間配置された複数の外部接続端子と、前記複数の電極の各一端を、対応するそれぞれの前記外部接続端子に接続した複数の引出配線と、隣接する２つの前記引出配線の間に形成され、当該一方の引出配線の少なくとも２箇所において照射により短絡可能な遮光性を有する金属の補助配線と、を有することを要旨とする。
【００１１】
本発明にあっては、隣接する２つの引出配線の間に形成され、一方の引出配線の少なくとも２箇所において照射により短絡可能な遮光性を有する金属の補助配線を有するため、引出配線上にＢＭ層が形成された場合であっても、断線した引出配線を照射により電気的に再接続することができ、更に、引出配線間の光漏れを防止して画面品位を向上することができる。
【００１２】
請求項２に記載の本発明は、前記引出配線と前記補助配線との間に絶縁膜が形成されていることを要旨とする。
【００１３】
本発明にあっては、引出配線と補助配線との間に絶縁膜が形成されているため、引出配線と補助配線との間における電気的な短絡の発生を確実に防止することができる。
【００１４】
請求項３に記載の本発明は、前記補助配線の線幅が、前記２つの引出配線の間隔よりも大きいことを要旨とする。
【００１５】
本発明にあっては、補助配線を形成する層の線幅が、２つの引出配線の間隔よりも大きいため、バックライト光の透過を確実に防ぐことができる。
【００１６】
請求項４に記載の本発明は、前記引出配線が、当該引出配線の線幅よりも狭い幅の傾斜部を長手方向の一部に有するものであって、前記補助配線は、隣接する２つの当該引出配線の傾斜部の間に形成されていることを要旨とする。
【００１７】
請求項５に記載の本発明は、前記表示領域が、互いに異なる層で形成された信号線及び走査線で構成されるものであって、前記引出配線が当該信号線と同じ層で形成されている場合に、前記補助配線は当該走査線と同じ層で形成されることを要旨とする。
【００１８】
本発明にあっては、引出配線が信号線と同じ層で形成されている場合に、補助配線は走査線と同じ層で形成されるため、既存の材料を用いて効率的に補助配線を形成することができる。
【発明の効果】
【００１９】
本発明によれば、引出配線上にＢＭ層が形成された後に発見される引出配線の断線の修復を可能とすると共に、引出配線間の光漏れを防止して画面品位を向上する表示用基板を提供することができる。
【発明を実施するための最良の形態】
【００２０】
以下、本実施の形態について図面を用いて説明する。
【００２１】
図１は、本実施の形態に係る表示用基板の一端の上面を示す上面図である。本実施の形態に係る表示用基板は、ガラス基板１と、ガラス基板１の一方の面の表示領域に形成された複数の電極２と、複数の電極２にそれぞれ対応して離間配置された複数の外部接続端子３と、複数の電極２の各一端を対応するそれぞれの外部接続端子３に接続した複数の引出配線４と、隣接する２つの引出配線４の間に形成された補助配線５とを備えた構成である。
【００２２】
複数の電極２は、表示領域に形成された互いに交差する複数の信号線及び複数の走査線であり、外部接続端子３及び引出配線４を介して送信された信号線駆動信号又は走査線駆動信号に基づいて駆動される。
【００２３】
外部接続端子３は、ガラス基板１の一端に配置されており、上記信号線駆動信号又は走査線駆動信号を送信する駆動回路が形成されたドライバＩＣ（図示せず）との接合部分として機能する。
【００２４】
引出配線４は、Ｍｏ（モリブデン）／Ａｌ（アルミニウム）／Ｍｏの積層構造で形成されるものであって、引出配線４の幅よりも狭い幅を有する傾斜部を長手方向の一部に有している。
【００２５】
補助配線５は、ＭｏＷ（モリブデンタングステン）の遮光性を有する金属層で形成されており、隣接する２つの引出配線４における傾斜部の間に形成され、両端には一方の引出配線４の少なくとも２箇所において照射により短絡可能な交差部が設けられている。また、補助配線５は、ＭｏＷの以外にも、引出配線と同層のＭｏ／Ａｌ／Ｍｏ積層や、Ａｌ単層、Ｔｉ（チタン）／Ａｌ／Ｔｉ積層、Ａｌ・Ｎｄ（ネオジム）合金単層などを用いることも可能である。
【００２６】
電極２と電極２に接続する引出配線４の一部には、画像のコントラストの向上や、表示装置に対する外部光により表示領域の各画素を制御する制御電極の誤動作を防止するため、ＢＭ層が形成されている。
【００２７】
図２は、図１で示す表示用基板における「ｉ」の部分の断面を示す断面図である。ガラス基板１の上には絶縁膜６が形成され、この絶縁膜６の上に形成された隣接する引出配線４の間に補助配線５が形成されている。補助配線５を配置することで、引出配線４の間からのバックライト光の透過を防止することができる。しかしながら、図２で示す層構造の場合には、引出配線４と補助配線５との間でショートする可能性があり、ある程度の間隔を設ける必要がある。そこで、図３に示すように、絶縁膜６を補助配線５と引出配線４との間に形成することで、ショートの発生を防止することができる。また、補助配線５ａの場合には、引出配線４の間の幅よりも補助配線５ａの幅が狭いので、補助配線５ａと引出配線４との間からのバックライト光の透過を防止できないが、引出配線４の間の幅よりも補助配線５ｂの幅を大きくすることで、遮光性を更に高めることができる。
【００２８】
次に、引出配線４が断線した場合の修復について説明する。引出配線４に断線が発生した場合、ＢＭ層が形成された側からは断線箇所を特定できないが、バックライトが存在する側から観察することで、断線箇所を目視で特定することができる。また、図３に示すように、引出配線４と補助配線５とは、バックライト側から見た場合に完全には重ならないように形成されるため、その断線を確実に特定することができる。断線箇所を特定した後に、補助配線５に設けられた２つの交差部にレーザ照射することで、引出配線４と補助配線５とを短絡させて修復をすることができる。
【００２９】
最後に、引出配線間に補助配線としての金属層を追加する場合には、従来使用されている金属層を使用して形成する方法と、製造工程や材料を新規に追加する方法がある。ここで、前者の場合には、既存の材料を用いることで製造工程を新たに増加する必要がなく、効率的に補助配線を形成することができる。例えば、表示領域としての信号線材料と走査線材料とを流用することができる。即ち、信号線と走査線とは互いに独立して駆動されるため常に異なる層で形成されており、引出配線が信号線と同じ層で形成されている場合に、補助配線を走査線と同じ層で形成することで、より効率的に補助配線を形成することが可能となる。
【００３０】
なお、本実施の形態では、引出配線４の傾斜部における断線の防止や遮光性の向上について説明したが、本発明は傾斜部に限られるものではなく、傾斜部以外の引出配線４に対して補助配線５を形成しても同様の効果が得られるものである。また、レーザ照射する部分は補助配線５の長手方向における２箇所以上であってもよく、照射領域としての交差部は、長手方向の端の部分である必要もない。更に、本実施で説明した表示用基板を用いて液晶表示装置を形成することが可能である点は言うまでもない。
【００３１】
本実施の形態によれば、隣接する２つの引出配線４の間に形成され、一方の引出配線４の少なくとも２箇所において照射により短絡可能な遮光性を有する金属の補助配線５を有するので、引出配線４上にＢＭ層７が形成された場合であっても、断線した引出配線４を照射により電気的に再接続することができ、更に、引出配線４間の光漏れを防止して画面品位を向上することができる。
【００３２】
本実施の形態によれば、引出配線４と補助配線５との間に絶縁膜６が形成されているので、引出配線４と補助配線５との間における電気的な短絡の発生を確実に防止することができる。
【００３３】
本実施の形態によれば、補助配線５を形成する層の線幅が、２つの引出配線４の間隔よりも大きいので、バックライト光の透過を確実に防ぐことができる。
【００３４】
本実施の形態によれば、引出配線４が信号線と同じ層で形成されている場合に、補助配線５は走査線と同じ層で形成されるため、既存の材料を用いて効率的に補助配線５を形成することができる。
【図面の簡単な説明】
【００３５】
【図１】本実施の形態に係る表示用基板の一端の上面を示す上面図である。
【図２】図１で示す表示用基板における「ｉ」の部分の断面を示す断面図である。
【図３】図１で示す表示用基板における「ｉ」の部分の断面を示す断面図である。
【図４】従来の液晶表示装置を構成する表示用基板の概略を示す斜視図である。
【図５】図４で示す表示用基板における「Ａ」の部分の詳細を示す上面図である。
【図６】図４で示す表示用基板を用いた液晶表示装置の断面を示す断面図である。
【符号の説明】
【００３６】
１…ガラス基板
２…電極
３…外部接続端子
４…引出配線
５，５ａ，５ｂ…補助配線
６…絶縁膜
７…ＢＭ層
１３…遮光テープ
３０…ＩＣ
３１…駆動回路
５０…プリント基板
５１…コントローラ
５２…ＬＳＩ
７０…フレーム
【図１】
2009036982.tif 000003
【図２】
2009036982.tif 000004
【図３】
2009036982.tif 000005
【図４】
2009036982.tif 000006
【図５】
2009036982.tif 000007
【図６】
2009036982.tif 000008